(57)【要約】【課題】  放送波の受信状況が良好でない場所においても、受信状況が良好な場所と同等の放送コンテンツを視聴可能なディジタル放送受信システムを提供する。【解決手段】  携帯電話機２においてディジタル放送を受信しているユーザが、場所（Ａ）において放送波の受信状態が良好な状態から、移動体３によって場所（Ｂ）に移動した場合、携帯電話機２に対しては障害物６の影響で放送波の受信状態が悪化してしまい、満足いく視聴が不可能となる。この場所（Ｂ）において、携帯電話機２は放送波の受信状況が悪化したことを検出した後、携帯電話用無線基地局４に接続し、携帯電話用無線基地局４を通して放送コンテンツ配信局１にアクセスすることで、携帯電話網経由で放送コンテンツを入手する。【選択図】      図１
2007005946.tif 000002
【特許請求の範囲】
【請求項１】
放送コンテンツ配信局から配信される放送コンテンツを放送局から放送し、携帯電話機にてその放送コンテンツをディジタル放送受信手段にて受信して視聴可能とするディジタル放送受信システムであって、
前記携帯電話機は、携帯電話網を利用してネットワークにアクセスするアクセス手段と、前記ネットワークを経由して前記放送コンテンツを入手する入手手段と、前記方送の受信状況を判断する判断手段とを有し、
前記放送の受信状態が良好な時に前記放送局からの放送波を受信し、前記放送の受信状態が悪化した場合に前記携帯電話網を利用して前記放送コンテンツを入手することを特徴とするディジタル放送受信システム。
【請求項２】
前記携帯電話機は、前記放送波の受信強度を測定する手段を含み、
前記判断手段は、前記放送波の受信強度に基づいて前記放送の受信状態の良好及び悪化を判断することを特徴とする請求項１記載のディジタル放送受信システム。
【請求項３】
前記携帯電話機は、前記放送波のデータエラー率を測定する手段を含み、
前記判断手段は、前記放送波のデータエラー率に基づいて前記放送の受信状態の良好及び悪化を判断することを特徴とする請求項１または請求項２記載のディジタル放送受信システム。
【請求項４】
前記携帯電話機は、前記受信強度と前記データエラー率とから前記放送コンテンツを入手する経路を判断する手段を含むことを特徴とする請求項３記載のディジタル放送受信システム。
【請求項５】
前記携帯電話機は、前記放送の受信状態の判断結果に応じて前記放送コンテンツを入手する経路を自動で切替えることを特徴とする請求項１から請求項４のいずれか記載のディジタル放送受信システム。
【請求項６】
前記放送コンテンツ配信局は、前記放送コンテンツを供給する経路として用いられる携帯電話網に接続することを特徴とする請求項１から請求項５のいずれか記載のディジタル放送受信システム。
【請求項７】
前記放送コンテンツ配信局は、前記放送波経由で前記放送コンテンツを供給する場合と前記携帯電話網経由で前記放送コンテンツを供給する場合とにおいてデータの同期をとる手段を含むことを特徴とする請求項１から請求項６のいずれか記載のディジタル放送受信システム。
【請求項８】
前記放送コンテンツ配信局は、前記放送波経由で前記放送コンテンツを供給する場合と前記携帯電話網経由で前記放送コンテンツを供給する場合とにおいてデータを一括管理する手段を含むことを特徴とする請求項１から請求項７のいずれか記載のディジタル放送受信システム。
【請求項９】
前記携帯電話機は、前記放送の受信状態が良好な状態に復帰した時に前記放送コンテンツを入手する経路を前記放送波経由に戻し、前記携帯電話網へのアクセスを停止することを特徴とする請求項１から請求項８のいずれか記載のディジタル放送受信システム。
【請求項１０】
自局から配信される放送コンテンツを放送局から放送し、携帯電話機にてその放送コンテンツをディジタル放送受信手段にて受信して視聴可能とするための放送コンテンツ配信局であって、
前記放送局から前記放送コンテンツを放送するとともに、前記携帯電話機が携帯電話網を利用して接続されるネットワーク経由で前記放送コンテンツを前記携帯電話機に配信することを特徴とする放送コンテンツ配信局。
【請求項１１】
前記放送波経由で前記放送コンテンツを供給する場合と前記携帯電話網経由で前記放送コンテンツを供給する場合とにおいてデータの同期をとる手段を含むことを特徴とする請求項１０記載の放送コンテンツ配信局。
【請求項１２】
前記放送波経由で前記放送コンテンツを供給する場合と前記携帯電話網経由で前記放送コンテンツを供給する場合とにおいてデータを一括管理する手段を含むことを特徴とする請求項１０または請求項１１記載の放送コンテンツ配信局。
【請求項１３】
放送コンテンツ配信局から配信されかつ放送局から放送される放送コンテンツをディジタル放送受信手段にて受信して視聴可能とする携帯電話機であって、
携帯電話網を利用してネットワークにアクセスするアクセス手段と、前記ネットワークを経由して前記放送コンテンツを入手する入手手段と、前記方送の受信状況を判断する判断手段とを有し、
前記放送の受信状態が良好な時に前記放送局からの放送波を受信し、前記放送の受信状態が悪化した場合に前記携帯電話網を利用して前記放送コンテンツを入手することを特徴とする携帯電話機。
【請求項１４】
前記放送波の受信強度を測定する手段を含み、
前記判断手段は、前記放送波の受信強度に基づいて前記放送の受信状態の良好及び悪化を判断することを特徴とする請求項１３記載の携帯電話機。
【請求項１５】
前記放送波のデータエラー率を測定する手段を含み、
前記判断手段は、前記放送波のデータエラー率に基づいて前記放送の受信状態の良好及び悪化を判断することを特徴とする請求項１３または請求項１４記載の携帯電話機。
【請求項１６】
前記受信強度と前記データエラー率とから前記放送コンテンツを入手する経路を判断する手段を含むことを特徴とする請求項１５記載の携帯電話機。
【請求項１７】
前記放送の受信状態の判断結果に応じて前記放送コンテンツを入手する経路を自動で切替えることを特徴とする請求項１３から請求項１６のいずれか記載の携帯電話機。
【請求項１８】
前記放送の受信状態が良好な状態に復帰した時に前記放送コンテンツを入手する経路を前記放送波経由に戻し、前記携帯電話網へのアクセスを停止することを特徴とする請求項１３から請求項１７のいずれか記載の携帯電話機。
【請求項１９】
放送コンテンツ配信局から配信される放送コンテンツを放送局から放送し、携帯電話機にてその放送コンテンツをディジタル放送受信手段にて受信して視聴可能とするシステムに用いられるディジタル放送受信方法であって、
前記携帯電話機が、携帯電話網を利用してネットワークにアクセスする第１の処理と、前記ネットワークを経由して前記放送コンテンツを入手する第２の処理と、前記方送の受信状況を判断する第３の処理とを実行し、
前記放送の受信状態が良好な時に前記放送局からの放送波を受信し、前記放送の受信状態が悪化した場合に前記携帯電話網を利用して前記放送コンテンツを入手することを特徴とするディジタル放送受信方法。
【請求項２０】
前記携帯電話機が、前記放送波の受信強度を測定する第４の処理を実行し、
前記第３の処理において、前記放送波の受信強度に基づいて前記放送の受信状態の良好及び悪化を判断することを特徴とする請求項１９記載のディジタル放送受信方法。
【請求項２１】
前記携帯電話機が、前記放送波のデータエラー率を測定する第５の処理を実行し、
前記第３の処理において、前記放送波のデータエラー率に基づいて前記放送の受信状態の良好及び悪化を判断することを特徴とする請求項１９または請求項２０記載のディジタル放送受信方法。
【請求項２２】
前記携帯電話機が、前記受信強度と前記データエラー率とから前記放送コンテンツを入手する経路を判断する第６の処理を実行することを特徴とする請求項２１記載のディジタル放送受信方法。
【請求項２３】
前記携帯電話機が、前記放送の受信状態の判断結果に応じて前記放送コンテンツを入手する経路を自動で切替えることを特徴とする請求項１９から請求項２２のいずれか記載のディジタル放送受信方法。
【請求項２４】
前記放送コンテンツ配信局が、前記放送コンテンツを供給する経路として用いられる携帯電話網に接続することを特徴とする請求項１９から請求項２３のいずれか記載のディジタル放送受信方法。
【請求項２５】
前記放送コンテンツ配信局が、前記放送波経由で前記放送コンテンツを供給する場合と前記携帯電話網経由で前記放送コンテンツを供給する場合とにおいてデータの同期をとることを特徴とする請求項１９から請求項２４のいずれか記載のディジタル放送受信方法。
【請求項２６】
前記放送コンテンツ配信局が、前記放送波経由で前記放送コンテンツを供給する場合と前記携帯電話網経由で前記放送コンテンツを供給する場合とにおいてデータを一括管理することを特徴とする請求項１９から請求項２５のいずれか記載のディジタル放送受信方法。
【請求項２７】
前記携帯電話機が、前記放送の受信状態が良好な状態に復帰した時に前記放送コンテンツを入手する経路を前記放送波経由に戻し、前記携帯電話網へのアクセスを停止することを特徴とする請求項１９から請求項２６のいずれか記載のディジタル放送受信方法。
【請求項２８】
放送コンテンツ配信局から配信される放送コンテンツを放送局から放送し、携帯電話機にてその放送コンテンツをディジタル放送受信手段にて受信して視聴可能とするシステムに用いられるディジタル放送受信方法のプログラムであって、前記携帯電話機のコンピュータに、携帯電話網を利用してネットワークにアクセスする第１の処理と、前記ネットワークを経由して前記放送コンテンツを入手する第２の処理と、前記方送の受信状況を判断する第３の処理とを実行させ、前記放送の受信状態が良好な時に前記放送局からの放送波を受信させ、前記放送の受信状態が悪化した場合に前記携帯電話網を利用して前記放送コンテンツを入手させるためのプログラム。
【発明の詳細な説明】
【技術分野】
【０００１】
本発明はディジタル放送受信システム、放送コンテンツ配信局、携帯電話機及びそれらに用いるディジタル放送受信方法並びにそのプログラムに関し、特に携帯電話機におけるディジタル放送受信方法に関する。
【背景技術】
【０００２】
携帯電話機においては、その多機能化に伴って、ディジタル放送の受信手段を有するものも登場してきている。この携帯電話機の利用者は移動しながら、その受信手段にて受信するディジタル放送を視聴することが考えられるので、当然、電波が途切れることがある。
【０００３】
このディジタル放送受信中に電波が途切れてデータが受信できなくなる場合には、ディジタルインタフェースを介して他の機器から受信したトランスポートストリーム中の付加情報内に不連続情報が含まれているか否かを調べ、不連続情報が検出された時に、トランスポートストリーム中の付加情報の取込みを行うことによって、外部から入力されるプログラムが変化した時のビデオデータ及びオーディオデータの復号を迅速に行って復号出力が途切れないようにする技術が提案されている（例えば、特許文献１参照）。
【０００４】
また、他の技術としては、データ放送による送信データファイルの未到着等の理由で途切れた場合に、放送局から電波を利用してデータファイルを伝送するとともに、そのデータファイルのファイル属性を含む補助情報を持つファイル一覧を、データファイルとは別のファイルとして伝送する方法が提案されている（例えば、特許文献２参照）。
【０００５】
このデータ放送システムにおけるデータ放送受信表示装置では、データファイル及びファイル一覧を含むデータ放送を受信するデータ放送データ受信手段と、受信したデータをファイルとして蓄積するデータファイル蓄積手段と、受信したファイルの中からファイル一覧を抽出するファイル一覧抽出手段と、ファイル一覧とデータファイルとから未到着ファイルを特定する未到着ファイル特定手段と、特定した未到着ファイルのファイル属性を判定するファイル属性判定手段と、未到着ファイルが未到着であるという情報を含むデータを生成する代替データ生成手段と、代替データ生成手段で生成されたデータに未到着ファイルと同じファイル名を付けて代替ファイルを生成し、データファイル蓄積手段に出力する代替ファイル生成手段とを備えているので、未到着データファイルの存在を確認して、そのファイル名を特定することができる。
【０００６】
このデータ放送受信表示装置では、エラーメッセージを別途表示するような必要がないので、そのエラーメッセージが邪魔になることもない。さらに、データ放送受信表示装置では、リトライを繰り返して未到着データを取りにいき、既に受信しているデータやエラーメッセージの表示に時間がかかるという問題を回避することもできる。
【０００７】
しかしながら、上記のデータ放送受信システムでは、不連続情報を検出した後、例えば映像データが不連続になった場合に、ディジタルデータが再度正常に検出されるまでの間、最後に正常に出力したディジタルデータを出力し続けることとなり、視聴者にとって音声が不自然になってしまう。
【０００８】
そこで、別のデータ放送受信システムでは、データの欠落が発生した後に、欠落したデータを補完するデータを携帯電話機等の通信機器経由で取得し、放送が途切れないようにデータの連続性を保つ技術が提案されている（例えば、特許文献３参照）。
【０００９】
このシステムでは、補完データの取得が間に合わない場合に、欠落したデータの部分にノイズデータを挿入し、また欠落箇所までのデータの再生速度を遅くし、バッファ中に一定量のデータを保持することで、放送が途切れるのを防止している。
【００１０】
【特許文献１】特開２０００−２１６８４８号公報
【特許文献２】特開平１０−２４３３６６号公報
【特許文献３】特開２００４−０４０２７６号公報
【発明の開示】
【発明が解決しようとする課題】
【００１１】
上述した従来のデータ放送受信システムでは、上記の特許文献３に記載の技術の場合、常に欠落したデータを保管するために欠落情報を報告したり（ＵｐＬｉｎｋ）、欠落データを送信したり（ＤｏｗｎＬｉｎｋ）しているので、無線リソースを多大に使用してしまうという問題がある。
【００１２】
そこで、本発明の目的は上記の問題点を解消し、放送波の受信状態が良好でない場所においても、受信状態が良好な場所と同等の放送コンテンツを視聴することができるディジタル放送受信システム、放送コンテンツ配信局、携帯電話機及びそれらに用いるディジタル放送受信方法並びにそのプログラムを提供することにある。
【課題を解決するための手段】
【００１３】
本発明によるディジタル放送受信システムは、放送コンテンツ配信局から配信される放送コンテンツを放送局から放送し、携帯電話機にてその放送コンテンツをディジタル放送受信手段にて受信して視聴可能とするディジタル放送受信システムであって、
前記携帯電話機は、携帯電話網を利用してネットワークにアクセスするアクセス手段と、前記ネットワークを経由して前記放送コンテンツを入手する入手手段と、前記方送の受信状況を判断する判断手段とを備え、
前記放送の受信状態が良好な時に前記放送局からの放送波を受信し、前記放送の受信状態が悪化した場合に前記携帯電話網を利用して前記放送コンテンツを入手している。
【００１４】
本発明による放送コンテンツ配信局は、自局から配信される放送コンテンツを放送局から放送し、携帯電話機にてその放送コンテンツをディジタル放送受信手段にて受信して視聴可能とするための放送コンテンツ配信局であって、
前記放送局から前記放送コンテンツを放送するとともに、前記携帯電話機が携帯電話網を利用して接続されるネットワーク経由で前記放送コンテンツを前記携帯電話機に配信している。
【００１５】
本発明による携帯電話機は、放送コンテンツ配信局から配信されかつ放送局から放送される放送コンテンツをディジタル放送受信手段にて受信して視聴可能とする携帯電話機であって、
携帯電話網を利用してネットワークにアクセスするアクセス手段と、前記ネットワークを経由して前記放送コンテンツを入手する入手手段と、前記方送の受信状況を判断する判断手段とを備え、
前記放送の受信状態が良好な時に前記放送局からの放送波を受信し、前記放送の受信状態が悪化した場合に前記携帯電話網を利用して前記放送コンテンツを入手している。
【００１６】
本発明によるディジタル放送受信方法は、放送コンテンツ配信局から配信される放送コンテンツを放送局から放送し、携帯電話機にてその放送コンテンツをディジタル放送受信手段にて受信して視聴可能とするシステムに用いられるディジタル放送受信方法であって、
前記携帯電話機が、携帯電話網を利用してネットワークにアクセスする第１の処理と、前記ネットワークを経由して前記放送コンテンツを入手する第２の処理と、前記方送の受信状況を判断する第３の処理とを実行し、
前記放送の受信状態が良好な時に前記放送局からの放送波を受信し、前記放送の受信状態が悪化した場合に前記携帯電話網を利用して前記放送コンテンツを入手している。
【００１７】
本発明によるディジタル放送受信方法のプログラムは、放送コンテンツ配信局から配信される放送コンテンツを放送局から放送し、携帯電話機にてその放送コンテンツをディジタル放送受信手段にて受信して視聴可能とするシステムに用いられるディジタル放送受信方法のプログラムであって、前記携帯電話機のコンピュータに、携帯電話網を利用してネットワークにアクセスする第１の処理と、前記ネットワークを経由して前記放送コンテンツを入手する第２の処理と、前記方送の受信状況を判断する第３の処理とを実行させ、前記放送の受信状態が良好な時に前記放送局からの放送波を受信させ、前記放送の受信状態が悪化した場合に前記携帯電話網を利用して前記放送コンテンツを入手させている。
【００１８】
すなわち、本発明のディジタル放送受信システム、ディジタル放送受信手段を持つ携帯電話機において、携帯電話網を利用してネットワークにアクセスするアクセス手段と、ネットワークを経由して放送コンテンツを入手する手段と、ディジタル方送の受信状態を判断する手段とを設けることで、ディジタル放送の受信状態が良好な時に放送波を受信し、放送の受信状態が悪化した場合に携帯電話網を利用して放送コンテンツを入手しているので、放送を継続して視聴し続けることが可能となる。
【００１９】
また、本発明のディジタル放送受信システムでは、ディジタル放送を携帯電話機で視聴中に移動し、放送の受信状態が悪化した際にその悪化を検出し、自動で携帯電話網より放送コンテンツ管理サーバにアクセスして放送コンテンツを入手することによって、放送コンテンツの入手経路を切替え、継続して放送の視聴を可能としている。
【００２０】
さらに、本発明のディジタル放送受信システムでは、放送の受信状態が良好な状態に復帰した場合、放送コンテンツを入手する経路を放送波受信側に戻し、携帯電話網へのアクセスを停止している。
【００２１】
より具体的に説明すると、本発明のディジタル放送受信システムでは、受信方法判断手段がディジタル放送の受信状態によって放送コンテンツを入手する経路を判断し、受信状態が悪化した場合に無線アクセス手段にて携帯電話網にアクセスしてコンテンツ管理手段から放送コンテンツを入手し、受信状態が回復した場合に放送受信手段から放送コンテンツを入手し、無線アクセス手段からのアクセスを停止している。
【００２２】
また、本発明のディジタル放送受信システムでは、放送局から放送される放送コンテンツと携帯電話網から入手する放送コンテンツとを、エンコード済みコンテンツ蓄積手段の同一のもので一括管理することによって、放送コンテンツの信頼性、品質を確保することが可能となる。
【００２３】
さらに、本発明のディジタル放送受信システムでは、放送同期確認手段にて放送コンテンツの放送の時間と携帯電話網から供給する場合とで同期させることによって、放送コンテンツ供給のリアルタイム性（同時性）を保持することが可能となる。
【００２４】
本発明のディジタル放送受信システムでは、上述した方法によって、携帯電話機にてディジタル放送視聴中に放送の受信状態が悪化した場合でも、携帯電話網から放送コンテンツを入手することによって、放送を継続して視聴することが可能となる。
【００２５】
これによって、本発明のディジタル放送受信システムでは、放送の受信状態が悪化した場合に、放送コンテンツの入手する経路を放送波から携帯電話網による放送コンテンツの取得に切替えているため、放送波から入手する放送コンテンツと同様の放送コンテンツを携帯電話網から供給することが可能となるので、放送波の受信状態が良好でない場所でも、放送波の受信状態が良好な場所と同等の放送コンテンツを視聴することが可能となる。
【００２６】
本発明のディジタル放送受信システムでは、放送コンテンツ配信局で放送波から供給する放送コンテンツと携帯電話網から供給する放送コンテンツとの時間的同期をとっているので、放送波とのリアルタイム性（同時性）を確保することが可能となる。
【００２７】
本発明のディジタル放送受信システムでは、放送コンテンツ配信局にて一括管理で放送コンテンツを蓄積しているため、供給元を統一することが可能となるので、供給する放送コンテンツの信頼性、品質を確保することが可能となる。
【００２８】
本発明のディジタル放送受信システムでは、放送受信の状況を測定し、ある一定の閾値を下回る場合に自動で携帯電話網経由のアクセスに切替えるように判断可能であるため、放送波の受信状態が良好でない状態において、自動で携帯電話網からのアクセスによって視聴を継続させることが可能となる。
【００２９】
本発明のディジタル放送受信システムでは、受信強度とデータエラー率との双方を測定することによって、受信強度のみでは判断できなかった干渉波の影響まで検出可能であるため、正確な放送波の受信状態の判断が可能となる。
【００３０】
本発明のディジタル放送受信システムでは、放送波の受信状態が回復した場合に携帯電話網の接続を停止し、放送波の受信による視聴と切替えることによって、有限な無線リソース（ＤｏｗｎＬｉｎｋ）を有効活用することが可能となる。
【００３１】
本発明のディジタル放送受信システムでは、携帯電話網からの放送コンテンツ供給においても放送との同期をとることで、接続後、時間に依存して放送コンテンツ供給が行われるため、携帯電話機から放送の受信が途切れたタイミングの情報を放送コンテンツ配信局に報告する必要がなく、有限な無線リソース（ＵｐＬｉｎｋ）のリソースを使用しないため、有限な無線リソース（ＵｐＬｉｎｋ）を有効活用することが可能となる。
【発明の効果】
【００３２】
本発明は、以下に述べるような構成及び動作とすることで、放送波の受信状態が良好でない場所においても、受信状態が良好な場所と同等の放送コンテンツを視聴することができるという効果が得られる。
【発明を実施するための最良の形態】
【００３３】
次に、本発明の実施の形態について図面を参照して説明する。図１は本発明の実施の形態によるディジタル放送受信システムの構成を示すブロック図である。図１において、本発明の実施の形態によるディジタル放送受信システムは、放送電波を送信する放送局５と、放送コンテンツを蓄積、管理する放送コンテンツ配信局１と、放送受信状態が良好である場所（Ａ）から方送受信状態が粗悪な場所（Ｂ）に移動する移動体３と、その移動体３とともに移動する携帯電話機２と、放送コンテンツ配信局１とネットワークで接続されている携帯電話用無線基地局４とから構成されており、方送受信状態が粗悪な場所（Ｂ）では障害物６によって放送局５から携帯電話機２への放送波が妨害されている。
【００３４】
携帯電話機２においてディジタル放送を受信しているユーザが、場所（Ａ）において放送波の受信状態が良好な状態から、移動体３によって場所（Ｂ）に移動した場合、携帯電話機２に対しては障害物６の影響で放送波の受信状態が悪化してしまい、満足いく視聴が不可能となる。
【００３５】
この場所（Ｂ）において、携帯電話機２は放送波の受信状態が悪化したことを検出した後、携帯電話用無線基地局４に接続し、携帯電話用無線基地局４を通して放送コンテンツ配信局１にアクセスすることで、携帯電話網経由で放送コンテンツを入手する。
【００３６】
これによって、本実施の形態では、放送の受信状態が悪化した場合に、放送コンテンツの入手する経路を放送波から携帯電話網による放送コンテンツの取得に切替えることで、放送波から入手する放送コンテンツと同様の放送コンテンツを携帯電話網から供給することができ、放送波の受信状態が良好でない場所でも、放送波の受信状態が良好な場所と同等の放送コンテンツを視聴することができる。
【実施例１】
【００３７】
図２は本発明の一実施例によるディジタル放送受信システムの構成を示すブロック図である。図２において、放送コンテンツ配信局１は放送コンテンツを放送波として送信するための放送送信手段１１と、放送コンテンツを送信可能なデータ形式にエンコードしたものを蓄積するエンコード済みコンテンツ蓄積手段１２と、携帯電話網からのアクセスによる放送コンテンツの管理を行うコンテンツ管理手段１４と、コンテンツ管理手段１４と放送送信手段１１との時間的な同期をとるための放送同期確認手段１３と、放送コンテンツへのアクセスによる料金を管理する課金手段１５と、放送コンテンツへのアクセスの権限を確認する認証手段１６とから構成されている。
【００３８】
携帯電話用無線基地局４は携帯電話網を利用して放送コンテンツ配信局１へのアクセスを行うネットワークアクセス手段４１と、携帯電話機２との接続を行う無線アクセス手段４２とから構成されている。
【００３９】
携帯電話機２は放送局５からの放送波を受信する放送受信手段２１と、受信している放送波の受信強度を判断する受信強度測定手段２２と、放送波のフォーマットで送信されてきたデータをエンコード済みコンテンツの状態へと復調するディジタル復調手段２３と、ディジタル復調手段２３で復調後のデータのエラー率を測定するデータエラー率測定手段２４と、放送波からのデータと携帯電話網からのデータのどちらを視聴するか選択するデータ選択手段２５と、視聴するデータとしてどのデータをデータ選択手段２５で選択するかの判断を行う受信方法判断手段２６と、データ選択手段２５で選択されたデータを視聴可能なデータにデコードするデコード手段２７と、デコード手段２７でデコードされたデータを視聴可能な状態にする再生手段２８と、携帯電話網への接続を行う際に携帯電話用基地局４へ接続する無線アクセス手段２９とから構成されている。
【００４０】
図３は本発明の一実施例による携帯電話機２の動作を示すフローチャートである。図２及び図３を参照して本発明の一実施例による携帯電話機２の動作について説明する。尚、図３に示す処理は携帯電話機２の図示せぬＣＰＵ（中央処理装置）等のコンピュータがプログラムを実行することでも実現可能である。
【００４１】
携帯電話機２はディジタル放送を視聴するために放送受信手段２１にて放送波の受信を行う際に（図３ステップＳ１）、受信強度測定手段２２にて放送の受信状態が良好であるかないかを測定する（図３ステップＳ２）。
【００４２】
この場合には、受信している放送波の強度を受信強度測定手段２２で測定し、その測定結果を受信方法判断手段２６へ報告する。また、電波としての受信強度は十分と測定されるが、干渉波が強くデータエラーが頻発している場合を検出するために、データエラー率をデータエラー率測定手段２４で測定し、その測定結果を受信方法判断手段２６へ報告する。
【００４３】
受信方法判断手段２６では、上記の二つの測定結果を踏まえて、放送波の受信状態が良好でない場合に、放送コンテンツの入手経路を携帯電話網へ切替えるべく動作するので、無線アクセス手段２９は携帯電話用無線基地局４へ接続し、携帯電話網を経由して放送コンテンツ配信局１へアクセスする（図３ステップＳ３，Ｓ４）。
【００４４】
放送コンテンツ配信局１では、アクセスのあった携帯電話機２が放送コンテンツにアクセスする権限を所有するものかどうかを認証手段１６で確認する。携帯電話機２はその認証で確認されない場合、放送コンテンツにアクセスできないので、放送局５からの放送の受信のみで視聴することとなる（図３ステップＳ５）。
【００４５】
認証に関しては、事前に登録しておくことによってアクセスの権限を得る方法と、アクセス時に暗号化された放送コンテンツを入手して視聴するための暗号解読鍵を別途入手する方法とがある。暗号解読鍵を用いた方法に関しては後述する。
【００４６】
携帯電話機２は認証手段１６でアクセス権が確認された後、課金手段１５にて課金方法の確認を行う。ユーザの契約状況によって課金される料金は違ってくる。課金の確認が取れた後、携帯電話機２は携帯電話網を経由したディジタル放送の放送コンテンツを視聴することが可能となる（図３ステップＳ６，Ｓ７）。
【００４７】
放送コンテンツ配信局１においては、放送同期確認手段１３にて現在放送されている放送コンテンツと、携帯電話網経由で入手する放送コンテンツとの時間的な同期をとることによって、それらのリアルタイム性（同時性）を確保している。そのため、携帯電話機２にて視聴されていた状態に関係なく、放送コンテンツ配信局１にアクセスした時間に依存して現在放送されている状態に同期した放送コンテンツのデータが携帯電話機２へと供給され、放送を受信している場合と同等の視聴を可能としている。
【実施例２】
【００４８】
次に、本発明の他の実施例について説明する。図１において、携帯電話機２がディジタル放送波の受信状態が良好でない場所（Ｂ）にいる場合、ディジタル放送を視聴しようとすると、携帯電話機２は携帯電話網を経由して放送コンテンツを入手する必要がある。本実施例では、この場所（Ｂ）から放送波の受信状態が良好である場所（Ａ）に移動した時の動作に工夫を加えている。尚、本実施例によるシステムの構成は図２に示す本発明の一実施例と同様の構成となっている。
【００４９】
図４は本発明の他の実施例による携帯電話機２の動作を示すフローチャートである。これら図２及び図４を参照して本発明の他の実施例による携帯電話機２の動作について説明する。以下、携帯電話機２がディジタル放送波の受信状態が良好でない場所（Ｂ）から放送波の受信状態が良好である場所（Ａ）に移動した場合の動作について説明する。
【００５０】
携帯電話機２では携帯電話網経由で放送コンテンツを入手している場合においても（図４ステップＳ１１）、放送受信手段１１が放送の受信を続けており、受信強度測定手段１２とデータエラー率測定手段１４とによって受信状態を確認している（図４ステップＳ１２）。
【００５１】
携帯電話機２では受信状態が良好となった場合、すぐに受信方法判断手段１６がデータ選択手段１５に放送コンテンツ入手経路の変更を指示する（図４ステップＳ１３）。携帯電話機２は入手経路変更後、使用しない携帯電話網へのアクセス、接続を停止する（図４ステップＳ１４，Ｓ１５）。
【実施例３】
【００５２】
本発明の別の実施例では、上述した本発明の一実施例及び他の実施例の動作において、常に放送受信状況を確認するようにしており、これによって、本発明の一実施例及び他の実施例の動作を相互に対応し続けることが可能となる。つまり、本発明の別の実施例では、放送受信状況が良好な場合に放送波経由で放送コンテンツを入手し、受信状況が良好でない場合に携帯電話網経由で放送コンテンツを入手している。
【００５３】
また、本実施例では、料金優先や接続率優先の設定を行うことによって、契約状態に合わせて有利な方を入手経路として優先的に選択するように自動設定することが可能である。
【実施例４】
【００５４】
図５は本発明のさらに別の実施例によるディジタル放送受信システムの構成を示すブロック図である。図５において、本発明のさらに別の実施例では、認証手段１６の代わりに、放送コンテンツ配信局１ａに暗号化手段１７と暗号鍵管理手段１８とを設け、携帯電話機２ａに暗号解読手段３０と暗号鍵保持手段３１とを設けた以外は図２に示す本発明の一実施例によるディジタル放送受信システムと同様の構成となってえおり、同一構成要素には同一符号を付してある。
【００５５】
本発明のさらに別の実施例では、放送コンテンツを有料放送にて放送しており、放送コンテンツを暗号化することによって契約していないユーザが放送コンテンツを視聴できないようにしている。そのため、ユーザは暗号を解読するための暗号解読鍵を事前に契約して入手するか、またはアクセス時に契約して入手する必要がある。
【００５６】
放送コンテンツ配信局１ａでは、有料コンテンツに対して暗号化手段１７にて暗号化を行って提供している。上記のように、暗号解読鍵は暗号鍵管理手段１８にて管理され、契約の形態に応じて供給される。
【００５７】
携帯電話機２ａでは、入手した暗号解読鍵を暗号鍵保持手段３１に保持し、その暗号解読鍵を暗号鍵保持手段３１から暗号解読手段３０に供給することによって、放送コンテンツ配信局１ａから供給されかつ暗号化された放送コンテンツを解読して再生している。本実施例におけるその他の動作に関しては、上述した無料コンテンツの場合と同様である。
【００５８】
このように、本発明では、放送の受信状態が悪化した場合に、放送コンテンツの入手する経路を放送波から携帯電話網による放送コンテンツの取得に切替えているため、放送波から入手する放送コンテンツと同様の放送コンテンツを携帯電話網から供給することができ、放送波の受信状況が良好でない場所でも、放送波の受信状況が良好な場所と同等の放送コンテンツを視聴することができる。
【００５９】
本発明では、放送コンテンツ配信局１において、放送波から供給する放送コンテンツと携帯電話網から供給する放送コンテンツとの時間的同期をとっているので、放送波とのリアルタイム性（同時性）を確保することができる。
【００６０】
本発明では、放送コンテンツ配信局１にて、一括管理で放送コンテンツを蓄積しているため、供給元を統一することができ、供給する放送コンテンツの信頼性、品質を確保することができる。
【００６１】
本発明では、放送受信の状況を測定し、ある一定の閾値を下回る場合に自動で携帯電話網経由のアクセスに切替えるように判断しているため、放送波の受信状況が良好でない状態において、自動で携帯電話網からのアクセスによって視聴を継続させることができる。
【００６２】
本発明では、受信強度とデータエラー率との双方を測定することによって、受信強度のみでは判断できなかった干渉波の影響まで検出することができるため、正確な放送波の受信状況の判断を行うことができる。
【００６３】
本発明では、放送波の受信状況が回復した場合に携帯電話網の接続を停止し、放送波の受信による視聴と切替えることによって、有限な無線リソース（ＤｏｗｎＬｉｎｋ）を有効活用することができる。
【００６４】
本発明では、携帯電話網からの放送コンテンツ供給においても放送との同期をとることで、接続後、時間に依存して放送コンテンツ供給が行われるため、携帯電話機２から放送の受信が途切れたタイミングの情報を放送コンテンツ配信局１に報告する必要がなく、有限な無線リソース（ＵｐＬｉｎｋ）のリソースを使用しないため、有限な無線リソース（ＵｐＬｉｎｋ）を有効活用することができる。
【図面の簡単な説明】
【００６５】
【図１】本発明の実施の形態によるディジタル放送受信システムの構成を示すブロック図である。
【図２】本発明の一実施例によるディジタル放送受信システムの構成を示すブロック図である。
【図３】本発明の一実施例による携帯電話機の動作を示すフローチャートである。
【図４】本発明の他の実施例による携帯電話機の動作を示すフローチャートである。
【図５】本発明のさらに別の実施例によるディジタル放送受信システムの構成を示すブロック図である。
【符号の説明】
【００６６】
１，１ａ  放送コンテンツ配信局
２，２ａ  携帯電話機
３  移動体
４  携帯電話用無線基地局
５  放送局
６  障害物
１１  放送送信手段
１２  エンコード済みコンテンツ蓄積手段
１３  放送同期確認手段
１４  コンテンツ管理手段
１５  課金手段
１６  認証手段
１７  暗号化手段
１８  暗号鍵管理手段
２１  放送受信手段
２２  受信強度測定手段
２３  ディジタル復調手段
２４  データエラー率測定手段
２５  データ選択手段
２６  受信方法判断手段
２７  デコード手段
２８  再生手段
２９  無線アクセス手段
３０  暗号解読手段
３１  暗号鍵保持手段
４１  ネットワークアクセス手段
４２  無線アクセス手段
【図１】
2007005946.tif 000003
【図２】
2007005946.tif 000004
【図３】
2007005946.tif 000005
【図４】
2007005946.tif 000006
【図５】
2007005946.tif 000007